(57)【要約】  エレベータロープ端末構造体では、扁平形状の断面を持つエレベータロープに挿入体が接触している。挿入体に設けられている押付部は、エレベータロープに挿入体を押し付けている状態を維持する。エレベータロープ及び挿入体は、ハウジングの貫通孔内に保持されている。貫通孔の内面は、エレベータロープの厚さ方向の両側に位置する第１受け面及び第２受け面を有している。第１受け面と第２受け面との間の距離は、貫通孔のロープ通し口に向かって小さくなっている。挿入体は、エレベータロープと第１受け面との間に配置された第１挿入部材を有している。
2020017025.tif 000002
【特許請求の範囲】
【請求項１】
扁平形状の断面を持つエレベータロープに接触する挿入体、
前記挿入体に設けられ、前記エレベータロープに前記挿入体を押し付けている状態を維持する押付部、及び
ロープ通し口を持つ貫通孔が設けられ、前記エレベータロープ及び前記挿入体が前記貫通孔内に保持されているハウジング
を備え、
前記エレベータロープは、前記ハウジングの外部から前記ロープ通し口を通って前記貫通孔内に達しており、
前記貫通孔の内面は、前記エレベータロープの厚さ方向の両側に位置する第１受け面及び第２受け面を有しており、
前記第１受け面と前記第２受け面との間の距離は、前記ロープ通し口に向かって小さくなっており、
前記挿入体は、前記エレベータロープと前記第１受け面との間に配置された第１挿入部材を有しているエレベータロープ端末構造体。
【請求項２】
前記第２受け面は、前記エレベータロープに接触している請求項１に記載のエレベータロープ端末構造体。
【請求項３】
前記挿入体は、前記エレベータロープと前記第２受け面との間に配置された第２挿入部材を有している請求項１又は請求項２に記載のエレベータロープ端末構造体。
【請求項４】
前記第１挿入部材には、第１ロープ側対向面と、第１ハウジング側対向面とが設けられており、
前記第１ロープ側対向面は、前記エレベータロープに接触し、
前記第１ハウジング側対向面は、前記第１受け面に接触しており、
前記第１ハウジング側対向面と前記第１ロープ側対向面との間の距離は、前記ロープ通し口に向かって小さくなっている請求項３に記載のエレベータロープ端末構造体。
【請求項５】
前記第２挿入部材には、第２ロープ側対向面と、第２ハウジング側対向面とが設けられており、
前記第２ロープ側対向面は、前記エレベータロープに接触し、
前記第２ハウジング側対向面は、前記第２受け面に接触しており、
前記第２ハウジング側対向面と前記第２ロープ側対向面との間の距離は、前記ロープ通し口に向かって小さくなっている請求項４に記載のエレベータロープ端末構造体。
【請求項６】
前記第２挿入部材には、第２ロープ側対向面と、第２ハウジング側対向面とが設けられており、
前記第２ロープ側対向面は、前記エレベータロープに接触し、
前記第２ハウジング側対向面は、前記第２受け面に接触しており、
前記第２ハウジング側対向面は、前記第２ロープ側対向面と平行である請求項４に記載のエレベータロープ端末構造体。
【請求項７】
前記押付部は、前記第１挿入部材と前記第２挿入部材とが互いに近づく方向へ押付力を前記挿入体に加えることにより、前記エレベータロープに前記挿入体を押し付けている請求項３から請求項６のいずれか一項に記載のエレベータロープ端末構造体。
【請求項８】
前記押付部は、前記第１挿入部材及び前記第２挿入部材のいずれか一方に設けられたクリップ本体と、前記第１挿入部材及び前記第２挿入部材のいずれか他方に設けられた固定フックとを有するクリップであり、
前記クリップは、前記固定フックに掛かった前記クリップ本体が前記固定フックを引き寄せることにより、前記エレベータロープに前記挿入体を押し付けている請求項７に記載のエレベータロープ端末構造体。
【請求項９】
前記挿入体には、前記貫通孔の内面から離れた加圧面が設けられており、
前記押付部は、前記エレベータロープに前記挿入体を押し付ける押付力を前記加圧面に加えている請求項１から請求項７のいずれか一項に記載のエレベータロープ端末構造体。
【請求項１０】
前記挿入体には、凹部が設けられており、
前記加圧面は、前記凹部の底面である請求項９に記載のエレベータロープ端末構造体。
【請求項１１】
前記凹部は、前記エレベータロープの長手方向に沿って形成されている請求項１０に記載のエレベータロープ端末構造体。
【請求項１２】
前記押付部は、前記エレベータロープの厚さ方向に沿って見たときの前記エレベータロープの領域から外れた位置で前記挿入体に押付力を加えることにより、前記エレベータロープに前記挿入体を押し付けている請求項１から請求項１１のいずれか一項に記載のエレベータロープ端末構造体。
【請求項１３】
前記挿入体の幅方向寸法は、前記エレベータロープの幅方向寸法よりも広くなっている請求項１から請求項１２のいずれか一項に記載のエレベータロープ端末構造体。
【請求項１４】
前記押付部は、ねじを有し、
前記ねじは、前記エレベータロープ及び前記挿入体を締め付けることにより、前記エレベータロープに前記挿入体を押し付けている請求項１から請求項１３のいずれか一項に記載のエレベータロープ端末構造体。
【請求項１５】
前記押付部は、ねじと、前記ねじに取り付けられるナットとを有し、
前記ねじ及び前記ナットは、前記エレベータロープ及び前記挿入体を締め付けることにより、前記エレベータロープに前記挿入体を押し付けている請求項１から請求項１３のいずれか一項に記載のエレベータロープ端末構造体。
【請求項１６】
前記ナットと前記挿入体との間には、弾性部材が介在している請求項１５に記載のエレベータロープ端末構造体。
【請求項１７】
前記ねじの頭部と前記挿入体との間には、弾性部材が介在している請求項１４から請求項１６のいずれか一項に記載のエレベータロープ端末構造体。
【発明の詳細な説明】
【技術分野】
【０００１】
この発明は、エレベータロープに設けられたエレベータロープ端末構造体に関するものである。
【背景技術】
【０００２】
従来、エレベータロープを挟む一対のウェッジ要素をウェッジハウジング内に保持することにより、エレベータロープをウェッジハウジング内に保持するようにしたエレベータロープ終端組立体が知られている。このような従来のエレベータロープ終端組立体では、エレベータロープが一対のウェッジ要素間から抜けることを防止するために、エレベータロープの端部にロープ端ブロックが取り付けられている（例えば特許文献１参照）。
【先行技術文献】
【特許文献】
【０００３】
【特許文献１】特開２０１４−１２９１８２号公報
【発明の概要】
【発明が解決しようとする課題】
【０００４】
特許文献１に示されている従来のエレベータロープ終端組立体では、エレベータロープの張力がなくなると、ウェッジハウジングから外れる方向へ一対のウェッジ要素が移動することがある。一対のウェッジ要素がウェッジハウジングから外れると、各ウェッジ要素とエレベータロープとの間の隙間が広がってしまい、各ウェッジ要素がハウジング内に挿入されにくくなってしまう。【０００５】
この発明は、上記のような課題を解決するためになされたものであり、挿入体がハウジングの貫通孔に挿入された状態をより確実に確保しやすくすることができるエレベータロープ端末構造体を得ることを目的とする。
【課題を解決するための手段】
【０００６】
この発明によるエレベータロープ端末構造体は、扁平形状の断面を持つエレベータロープに接触する挿入体、挿入体に設けられ、エレベータロープに挿入体を押し付けている状態を維持する押付部、及びロープ通し口を持つ貫通孔が設けられ、エレベータロープ及び挿入体が貫通孔内に保持されているハウジングを備え、エレベータロープは、ハウジングの外部からロープ通し口を通って貫通孔内に達しており、貫通孔の内面は、エレベータロープの厚さ方向の両側に位置する第１受け面及び第２受け面を有しており、第１受け面と第２受け面との間の距離は、ロープ通し口に向かって小さくさっており、挿入体は、エレベータロープと第１受け面との間に配置された第１挿入部材を有している。
【発明の効果】
【０００７】
この発明によるエレベータロープ端末構造体によれば、挿入体がハウジングの貫通孔に挿入された状態をより確実に確保しやすくすることができる。
【図面の簡単な説明】
【０００８】
【図１】この発明の実施の形態１によるエレベータを示す構成図である。
【図２】図１の第１端末構造体を示す斜視図である。
【図３】図２の第１端末構造体を示す正面図である。
【図４】図２の第１端末構造体を示す側面図である。
【図５】図４の第１端末構造体の内部を示す側面図である。
【図６】図２の第１端末構造体の内部を示す斜視図である。
【図７】図５のＶＩＩ−ＶＩＩ線に沿った断面図である。
【図８】図５のＶＩＩＩ−ＶＩＩＩ線に沿った断面図である。
【図９】この発明の実施の形態２によるエレベータロープ端末構造体である第１端末構造体を示す斜視図である。
【図１０】図９の第１端末構造体を示す正面図である。
【図１１】図１０の第１端末構造体を示す側面図である。
【図１２】図１１の第１端末構造体の内部を示す側面図である。
【図１３】図９の第１端末構造体の内部を示す斜視図である。
【図１４】図１２のＸＩＶ−ＸＩＶ線に沿った断面図である。
【図１５】図１２のＸＶ−ＸＶ線に沿った断面図である。
【図１６】この発明の実施の形態３によるエレベータロープ端末構造体である第１端末構造体を示す斜視図である。
【図１７】図１６の第１端末構造体を示す正面図である。
【図１８】図１７の第１端末構造体を示す側面図である。
【図１９】図１８の第１端末構造体の内部を示す側面図である。
【図２０】図１６の第１端末構造体の内部を示す斜視図である。
【図２１】図１９のＸＸＩ−ＸＸＩ線に沿った断面図である。
【図２２】図１９のＸＸＩＩ−ＸＸＩＩ線に沿った断面図である。
【図２３】この発明の実施の形態４によるエレベータロープ端末構造体である第１端末構造体を示す斜視図である。
【図２４】図２３の第１端末構造体を示す正面図である。
【図２５】図２４の第１端末構造体の内部を示す正面図である。
【図２６】図２４の第１端末構造体の内部を示す背面図である。
【図２７】図２４の第１端末構造体を示す側面図である。
【図２８】図２７の第１端末構造体の内部を示す側面図である。
【図２９】図２３の第１端末構造体の内部を示す斜視図である。
【図３０】図２８のＸＸＸ−ＸＸＸ線に沿った断面図である。
【図３１】図２８のＸＸＸＩ−ＸＸＸＩ線に沿った断面図である。
【図３２】図２６のＸＸＸＩＩ−ＸＸＸＩＩ線に沿った断面図である。
【図３３】この発明の実施の形態５によるエレベータロープ端末構造体である第１端末構造体を示す斜視図である。
【図３４】図３３の第１端末構造体を別の方向から見たときの状態を示す斜視図である。
【図３５】図３３の第１端末構造体を示す正面図である。
【図３６】図３５の左側から見たときの第１端末構造体を示す側面図である。
【図３７】図３６の第１端末構造体の内部を示す側面図である。
【図３８】図３５の右側から見たときの第１端末構造体を示す側面図である。
【図３９】図３８の第１端末構造体の内部を示す側面図である。
【図４０】図３３の第１端末構造体の内部を示す斜視図である。
【図４１】図３４の第１端末構造体の内部を示す斜視図である。
【図４２】図３９のＸＸＸＸＩＩ−ＸＸＸＸＩＩ線に沿った断面図である。
【図４３】図３９のＸＸＸＸＩＩＩ−ＸＸＸＸＩＩＩ線に沿った断面図である。
【発明を実施するための形態】
【０００９】
以下、この発明の実施の形態について、図面を参照して説明する。
【００１０】
実施の形態１．
図１は、この発明の実施の形態１によるエレベータを示す構成図である。図において、昇降路１内には、かご３及び釣合おもり４が設けられている。かご３及び釣合おもり４は、昇降路１内を上下方向へ移動可能な昇降体である。昇降路１の上部には、機械室２が設けられている。
【００１１】
機械室２には、巻上機６と、そらせ車７とが設けられている。巻上機６は、かご３及び釣合おもり４を上下方向へ移動させる駆動力を発生する駆動装置である。また、巻上機６は、巻上機６の駆動力によって回転する駆動綱車５を有している。そらせ車７は、駆動綱車５から離して配置されている。
【００１２】
駆動綱車５及びそらせ車７には、複数のエレベータロープ８が巻き掛けられている。エレベータロープ８としては、例えば、複数の繊維を撚り合わせて構成された長尺物、複数の繊維に樹脂を含浸させて成形された長尺物が挙げられる。各エレベータロープ８の断面形状は、扁平形状になっている。即ち、各エレベータロープ８は、扁平形状の断面を持つベルトである。かご３及び釣合おもり４は、各エレベータロープ８によって昇降路１内に吊り下げられている。かご３及び釣合おもり４は、駆動綱車５の回転に応じて昇降路１内を上下方向へ移動する。
【００１３】
各エレベータロープ８の第１端部のそれぞれには、エレベータロープ端末構造体である第１端末構造体９が設けられている。各エレベータロープ８の第２端部のそれぞれには、エレベータロープ端末構造体である第２端末構造体２０が設けられている。各第１端末構造体９は、かご３の上部に接続されている。各第２端末構造体２０は、釣合おもり４の上部に接続されている。これにより、この例では、かご３及び釣合おもり４が１：１ローピング方式で吊り下げられている。第２端末構造体２０の構成は、第１端末構造体９の構成と同様である。
【００１４】
図２は、図１の第１端末構造体９を示す斜視図である。図３は、図２の第１端末構造体９を示す正面図である。図４は、図２の第１端末構造体９を示す側面図である。図５は、図４の第１端末構造体９の内部を示す側面図である。図６は、図２の第１端末構造体９の内部を示す斜視図である。図７は、図５のＶＩＩ−ＶＩＩ線に沿った断面図である。図８は、図５のＶＩＩＩ−ＶＩＩＩ線に沿った断面図である。
【００１５】
第１端末構造体９は、エレベータロープ８に接触する挿入体１５と、挿入体１５をエレベータロープ８に保持する押付部である複数のねじ１３と、エレベータロープ８及び挿入体１５を収容するハウジング１０とを有している。
【００１６】
ハウジング１０は、互いに平行に配置された一対の平行板１０１と、一対の平行板１０１の間に互いに対向して配置された第１受け板１０２及び第２受け板１０３とを有している。第１受け板１０２は、一対の平行板１０１のそれぞれに固定されている。また、第２受け板１０３も、一対の平行板１０１のそれぞれに固定されている。即ち、ハウジング１０は、一対の平行板１０１、第１受け板１０２及び第２受け板１０３を組み合わせることにより構成されている。
【００１７】
ハウジング１０には、一対の平行板１０１、第１受け板１０２及び第２受け板１０３で囲まれた貫通孔１０４が設けられている。貫通孔１０４は、ハウジング１０を貫通している。これにより、貫通孔１０４は、第１開口部としてのロープ通し口と、第２開口部としての挿入体口とを有している。貫通孔１０４のロープ通し口は、ハウジング１０の長手方向先端部に設けられている。また、貫通孔１０４の挿入体口は、ハウジング１０の長手方向中間部に設けられている。貫通孔１０４には、エレベータロープ８及び挿入体１５が保持されている。
【００１８】
貫通孔１０４の内面は、図７及び図８に示すように、第１受け板１０２によって形成された第１受け面１０２ａと、第２受け板１０３によって形成された第２受け面１０３ａとを有している。第１受け面１０２ａと第２受け面１０３ａとは、貫通孔１０４の幅方向において互いに対向している。第１受け面１０２ａと第２受け面１０３ａとの間の距離は、貫通孔１０４の挿入体口から貫通孔１０４のロープ通し口に向かって連続的に小さくなっている。この例では、第１受け面１０２ａ及び第２受け面１０３ａのそれぞれがハウジング１０の軸線に対して傾斜している。
【００１９】
各平行板１０１には、複数の長穴１０５が設けられている。複数の長穴１０５は、第１受け板１０２に沿って互いに間隔をあけて並ぶ位置と、第２受け板１０３に沿って互いに間隔をあけて並ぶ位置とに設けられている。第１受け板１０２及び第２受け板１０３のそれぞれは、各長穴１０５に通された複数の固定ねじ１０６によって各平行板１０１に固定されている。一対の平行板１０１に対する第１受け板１０２及び第２受け板１０３のそれぞれの位置は、各長穴１０５における固定ねじ１０６の位置を調整することにより調整可能になっている。
【００２０】
各平行板１０１には、取付穴１０７が設けられている。各取付穴１０７は、ハウジング１０の長手方向後端部に位置している。第１端末構造体９は、第１端末構造体９の各取付穴１０７に通された取付部材を介してかご３に接続される。一方、第２端末構造体２０は、第２端末構造体２０の各取付穴に通された取付部材を介して釣合おもり４に接続される。
【００２１】
エレベータロープ８は、ハウジング１０の外部から貫通孔１０４のロープ通し口を通って貫通孔１０４内に達している。エレベータロープ８には、エレベータロープ８の幅方向に沿った第１ロープ面及び第２ロープ面が設けられている。第１ロープ面及び第２ロープ面は、エレベータロープ８の厚さ方向において互いに対向している。エレベータロープ８は、第１ロープ面を第１受け面１０２ａに向け、かつ第２ロープ面を第２受け面１０３ａに向けた状態で、貫通孔１０４に挿入されている。これにより、第１受け面１０２ａ及び第２受け面１０３ａは、エレベータロープ８の厚さ方向の両側に位置している。
【００２２】
挿入体１５は、第１挿入部材１１及び第２挿入部材１２を有している。第１挿入部材１１は、エレベータロープ８と第１受け面１０２ａとの間に配置されている。第２挿入部材１２は、エレベータロープ８と第２受け面１０３ａとの間に配置されている。第１挿入部材１１及び第２挿入部材１２は、エレベータロープ８の厚さ方向においてエレベータロープ８を挟んでいる。
【００２３】
第１挿入部材１１は、第１挿入部材１１の長手方向をエレベータロープ８の長手方向と一致させ、かつ第１挿入部材１１の幅方向をエレベータロープ８の幅方向と一致させた状態で配置されている。第１挿入部材１１の厚さ方向は、エレベータロープ８の厚さ方向と一致している。
【００２４】
第２挿入部材１２は、第２挿入部材１２の長手方向をエレベータロープ８の長手方向と一致させ、かつ第２挿入部材１２の幅方向をエレベータロープ８の幅方向と一致させた状態で配置されている。第２挿入部材１２の厚さ方向は、エレベータロープ８の厚さ方向と一致している。この例では、第１挿入部材１１及び第２挿入部材１２のそれぞれの幅方向寸法がエレベータロープ８の幅方向寸法よりも大きくなっている。
【００２５】
第１挿入部材１１には、第１ロープ側対向面１１１と第１ハウジング側対向面１１２とが設けられている。第１ハウジング側対向面１１２は、第１挿入部材１１の厚さ方向において第１ロープ側対向面１１１と対向している。第１ロープ側対向面１１１と第１ハウジング側対向面１１２との間の距離は、貫通孔１０４の挿入体口から貫通孔１０４のロープ通し口に向かって連続的に小さくなっている。これにより、第１挿入部材１１の形状は、楔状になっている。
【００２６】
第１挿入部材１１の幅方向両端部には、一対の第１段差部１１３がエレベータロープ８の長手方向に沿って設けられている。一対の第１段差部１１３は、第１ハウジング側対向面１１２の幅方向両側に位置している。各第１段差部１１３は、第１ハウジング側対向面１１２側から第１ロープ側対向面１１１に向けて窪む凹部である。
【００２７】
また、第１挿入部材１１には、一対の第１段差部１１３のそれぞれの底面が第１加圧面１１４としてエレベータロープ８の長手方向に沿って設けられている。これにより、各第１加圧面１１４の位置は、第１ハウジング側対向面１１２の位置よりも第１ロープ側対向面１１１に近い位置になっている。各第１加圧面１１４は、第１ロープ側対向面１１１と平行である。
【００２８】
第１ロープ側対向面１１１は、エレベータロープ８の第１ロープ面に接触している。第１ハウジング側対向面１１２は、第１受け面１０２ａに接触している。各第１加圧面１１４は、貫通孔１０４の内面から離れている。これにより、各第１加圧面１１４と貫通孔１０４の内面との間には、空間が生じている。
【００２９】
第２挿入部材１２には、図７及び図８に示すように、第２ロープ側対向面１２１と第２ハウジング側対向面１２２とが設けられている。第２ハウジング側対向面１２２は、第２挿入部材１２の厚さ方向において第２ロープ側対向面１２１と対向している。第２ロープ側対向面１２１と第２ハウジング側対向面１２２との間の距離は、貫通孔１０４の挿入体口からロープ通し口に向かって連続的に小さくなっている。これにより、第２挿入部材１２の形状は、楔状になっている。
【００３０】
第２挿入部材１２の幅方向両端部には、一対の第２段差部１２３がエレベータロープ８の長手方向に沿って設けられている。一対の第２段差部１２３は、第２ハウジング側対向面１２２の幅方向両側に位置している。各第２段差部１２３は、第２ハウジング側対向面１２２側から第２ロープ側対向面１２１に向けて窪む凹部である。
【００３１】
また、第２挿入部材１２には、一対の第２段差部１２３のそれぞれの底面が第２加圧面１２４としてエレベータロープ８の長手方向に沿って設けられている。これにより、各第２加圧面１２４の位置は、第２ハウジング側対向面１２２の位置よりも第２ロープ側対向面１２１に近い位置になっている。各第２加圧面１２４は、第２ロープ側対向面１２１と平行である。
【００３２】
第２ロープ側対向面１２１は、エレベータロープ８の第２ロープ面に接触している。第２ハウジング側対向面１２２は、第２受け面１０３ａに接触している。各第２加圧面１２４は、貫通孔１０４の内面から離れている。これにより、各第２加圧面１２４と貫通孔１０４の内面との間には、空間が生じている。
【００３３】
第１挿入部材１１には、各第１加圧面１１４から第１ロープ側対向面１１１に達する複数の通し穴が設けられている。複数の通し穴は、第１挿入部材１１の長手方向へ互いに間隔をあけて設けられている。第２挿入部材１２には、各第２加圧面１２４から第２ロープ側対向面１２１に達する複数のねじ穴が設けられている。複数のねじ穴は、第２挿入部材１２の長手方向へ互いに間隔をあけて設けられている。
【００３４】
各ねじ１３は、挿入体１５に設けられている。また、各ねじ１３は、第１挿入部材１１の通し穴に通された状態で、第２挿入部材１２のねじ穴に取り付けられている。各ねじ１３は、挿入体１５の長手方向へ互いに間隔をあけて配置されている。また、各ねじ１３は、挿入体１５の長手方向の設定範囲内に配置されている。この例では、各ねじ１３が配置される設定範囲が、挿入体１５の長手方向後端部から挿入体１５の中央位置よりも長手方向先端部に近い位置までの範囲になっている。
【００３５】
また、各ねじ１３は、図５に示すように、エレベータロープ８の厚さ方向に沿って見たときのエレベータロープ８の領域から外れた位置に配置されている。これにより、各ねじ１３は、エレベータロープ８を貫通せずに配置されている。さらに、各ねじ１３は、第２挿入部材１２のねじ穴に締め込まれている。各ねじ１３は、第２挿入部材１２のねじ穴に締め込まれた状態で、エレベータロープ８及び挿入体１５を締め付けている。
【００３６】
各ねじ１３は、エレベータロープ８及び挿入体１５を締め付けることにより、エレベータロープ８に挿入体１５を押し付けている。これにより、各ねじ１３は、エレベータロープ８の厚さ方向に沿って見たときのエレベータロープ８の領域から外れた位置で、挿入体１５に押付力を加えている。また、各ねじ１３は、第１挿入部材１１と第２挿入部材１２とが互いに近づく方向へ押付力を挿入体１５に加えている。エレベータロープ８は、各ねじ１３の締め付けによって挿入体１５に加わる押付力により、第１挿入部材１１と第２挿入部材１２との間に把持されている。
【００３７】
各ねじ１３の頭部は、貫通孔１０４の内面と第１加圧面１１４との間の空間に配置されている。また、各ねじ１３の頭部は、ねじ１３が第２挿入部材１２のねじ穴に締め込まれることにより、エレベータロープ８に挿入体１５を押し付ける押付力を第１加圧面１１４に加えている。
【００３８】
各ねじ１３は、エレベータロープ８及び挿入体１５を締め付けた状態を維持することにより、エレベータロープ８に挿入体１５を押し付けている状態を維持している。これにより、挿入体１５は、エレベータロープ８と一体化されている。従って、挿入体１５が貫通孔１０４内に挿入されているか否かにかかわらず、挿入体１５がエレベータロープ８に保持された状態が維持される。
【００３９】
エレベータロープ８及び挿入体１５は、第１受け面１０２ａと第２受け面１０３ａとの間に保持されている。挿入体１５では、第１挿入部材１１が第２挿入部材１２に固定されておらず、第１挿入部材１１及び第２挿入部材１２が互いに近づく方向へ移動することが許容されている。従って、エレベータロープ８が引っ張られて挿入体１５が貫通孔１０４のロープ通し口に向かって移動するほど、第１受け面１０２ａ及び第２受け面１０３ａの案内によって第１挿入部材１１及び第２挿入部材１２が互いに近づく方向へ移動する。これにより、エレベータロープ８が引っ張られて挿入体１５が貫通孔１０４のロープ通し口に向かって移動するほど、挿入体１５がエレベータロープ８に押し付けられる押付力の大きさが大きくなる。
【００４０】
このような第１端末構造体９及び第２端末構造体２０では、扁平形状の断面を持つエレベータロープ８に挿入体１５を押し付けている状態が複数のねじ１３によって維持されている。このため、ハウジング１０の有無にかかわらず、挿入体１５がエレベータロープ８に保持された状態を維持することができる。
【００４１】
例えば、エレベータの据付作業時にエレベータロープ８を取り扱う場合、かご３の非常停止時にかご３が衝撃を受けてエレベータロープ８が揺れた場合には、エレベータロープ８の張力がなくなることがある。この場合、挿入体１５が貫通孔１０４の挿入体口から外れるおそれがある。本実施の形態では、挿入体１５がハウジング１０から外れた場合でも、挿入体１５がエレベータロープ８に保持された状態を維持することができることから、ハウジング１０の貫通孔１０４に挿入体１５を挿入させやすくすることができる。従って、挿入体１５がハウジング１０の貫通孔１０４に挿入された状態をより確実に確保しやすくすることができる。
【００４２】
また、挿入体１５は、エレベータロープ８と第１受け面１０２ａとの間に配置された第１挿入部材１１と、エレベータロープ８と第２受け面１０３ａとの間に配置された第２挿入部材１２とを有している。このため、エレベータロープ８を第１挿入部材１１と第２挿入部材１２との間で把持することができる。これにより、挿入体１５がエレベータロープ８に保持された状態を容易に維持することができる。また、挿入体１５がハウジング１０から外れても、エレベータロープ８を挿入体１５から抜けにくくすることができる。
【００４３】
また、第１挿入部材１１では、第１ハウジング側対向面１１２と第１ロープ側対向面１１１との間の距離が貫通孔１０４のロープ通し口に向かって小さくなっている。このため、貫通孔１０４に第１挿入部材１１を挿入させやすくすることができる。また、エレベータロープ８及び第１受け面１０２ａのそれぞれに対する第１挿入部材１１の接触面積を大きくすることができる。これにより、エレベータロープ８及び挿入体１５が貫通孔１０４内に保持された状態をより確実に維持することができる。
【００４４】
また、第２挿入部材１２では、第２ハウジング側対向面１２２と第２ロープ側対向面１２１との間の距離が貫通孔１０４のロープ通し口に向かって小さくなっている。このため、貫通孔１０４に第２挿入部材１２を挿入させやすくすることができる。また、エレベータロープ８及び第２受け面１０３ａのそれぞれに対する第２挿入部材１２の接触面積を大きくすることができる。これにより、エレベータロープ８及び挿入体１５が貫通孔１０４内に保持された状態をさらに確実に維持することができる。
【００４５】
さらに、第１挿入部材１１及び第２挿入部材１２のそれぞれの形状を楔状にすることにより、第１挿入部材１１及び第２挿入部材１２のそれぞれの形状を同一形状にすることができる。これにより、部品の形状の共通化を図ることができ、部品の種類の数を減らすことができる。また、貫通孔１０４内におけるエレベータロープ８の位置を貫通孔１０４の軸線に近づけることができる。これにより、エレベータロープ８によって引っ張られたときのハウジング１０にかかる力の偏りを小さくすることができる。
【００４６】
また、各ねじ１３は、第１挿入部材１１と第２挿入部材１２とが互いに近づく方向へ押付力を挿入体１５に加えている。このため、エレベータロープ８を第１挿入部材１１と第２挿入部材１２との間で把持することができる。これにより、挿入体１５がエレベータロープ８に保持された状態を容易に維持することができる。
【００４７】
また、挿入体１５には、貫通孔１０４の内面から離れた第１加圧面１１４が設けられている。さらに、各ねじ１３の頭部は、エレベータロープ８に挿入体１５を押し付ける押付力を第１加圧面１１４に加えている。このため、貫通孔１０４の内面と第１加圧面１１４との間に生じている空間に各ねじ１３の頭部を配置することができ、各ねじ１３が貫通孔１０４の内面に干渉することを回避することができる。
【００４８】
また、第１加圧面１１４は、挿入体１５に設けられた凹部としての第１段差部１１３の底面になっている。このため、貫通孔１０４の内面と第１加圧面１１４との間に空間をより確実に生じさせることができる。
【００４９】
また、第１段差部１１３は、エレベータロープ８の長手方向に沿って挿入体１５に設けられている。このため、エレベータロープ８の長手方向にわたってエレベータロープ８に挿入体１５を押し付けることができる。これにより、エレベータロープ８に挿入体１５をさらに確実に保持することができる。
【００５０】
また、各ねじ１３は、エレベータロープ８の厚さ方向に沿って見たときのエレベータロープ８の領域から外れた位置で、挿入体１５に押付力を加えている。このため、エレベータロープ８に各ねじ１３を貫通させずに挿入体１５に押付力を加えることができる。これにより、ねじ１３を通す穴をエレベータロープ８に形成する作業をなくすことができる。
【００５１】
また、挿入体１５の幅方向寸法は、エレベータロープ８の幅方向寸法よりも広くなっている。このため、挿入体１５に対するエレベータロープ８の位置がエレベータロープ８の幅方向へずれた場合でも、エレベータロープ８に挿入体１５をさらに確実に押し付けることができる。
【００５２】
また、各ねじ１３は、エレベータロープ８及び挿入体１５を締め付けることにより、エレベータロープ８に挿入体１５を押し付けている。このため、エレベータロープ８に挿入体１５を押し付けている状態を簡単な構成で維持することができる。
【００５３】
また、ハウジング１０は、一対の平行板１０１、第１受け板１０２及び第２受け板１０３を固定ねじ１０６によって組み合わせることにより構成されている。このため、汎用の板部材及び汎用のねじを用いてハウジング１０を製造することができる。これにより、ハウジング１０を製造するときの鋳造作業及び溶接作業を不要にすることができ、ハウジング１０の製造を容易にかつ短時間で行うことができる。また、量産されない特別仕様のハウジング１０の製造も容易にすることができる。
【００５４】
実施の形態２．
図９は、この発明の実施の形態２によるエレベータロープ端末構造体である第１端末構造体９を示す斜視図である。図１０は、図９の第１端末構造体９を示す正面図である。図１１は、図１０の第１端末構造体９を示す側面図である。図１２は、図１１の第１端末構造体９の内部を示す側面図である。図１３は、図９の第１端末構造体９の内部を示す斜視図である。図１４は、図１２のＸＩＶ−ＸＩＶ線に沿った断面図である。図１５は、図１２のＸＶ−ＸＶ線に沿った断面図である。
【００５５】
ハウジング１０は、単一部材である。即ち、ハウジング１０の一対の平行板１０１、第１受け板１０２及び第２受け板１０３は、一体成型によって分解不可能に形成されている。この例では、ハウジング１０が鋳造成型部材になっている。各平行板１０１に対する第１受け板１０２及び第２受け板１０３のそれぞれの境界は、ハウジング１０の４つの角部となっている。ハウジング１０の４つの角部には、曲面部Ｒが形成されている。
【００５６】
押付部である各ねじ１３は、挿入体１５の長手方向の設定範囲内にのみ配置されている。各ねじ１３が配置される設定範囲は、挿入体１５の長手方向の中央位置よりも挿入体１５の長手方向後端部側の範囲になっている。即ち、各ねじ１３は、挿入体１５の長手方向の範囲を半分に分割した２つの範囲のうち、貫通孔１０４のロープ通し口から離れた側の範囲内にのみ配置されている。従って、エレベータロープ８に挿入体１５を押し付ける押付力は、貫通孔１０４のロープ通し口から離れた設定範囲で第１加圧面１１４に加えられている。エレベータロープ端末構造体である第２端末構造体２０の構成は、第１端末構造体９の構成と同様である。他の構成は、実施の形態１と同様である。
【００５７】
このような第１端末構造体９及び第２端末構造体２０では、ハウジング１０が単一部材になっている。このため、実施の形態１よりもハウジング１０の強度を向上させることができ、ハウジング１０の軽量化及び小型化を図ることができる。
【００５８】
また、各ねじ１３が配置される設定範囲は、挿入体１５の長手方向の中央位置よりも挿入体１５の長手方向後端部側の範囲になっている。このため、各ねじ１３の頭部を配置する空間をより確実に確保することができる。即ち、第１加圧面１１４と第１受け面１０２ａとの間の空間、及び第２加圧面１２４と第２受け面１０３ａとの間の空間は、挿入体１５の長手方向後端部に近づくほど広がる。これにより、各ねじ１３の位置を挿入体１５の長手方向後端部側に集中させることにより、各ねじ１３の頭部が配置される空間を広くすることができる。従って、各ねじ１３の頭部が貫通孔１０４の内面に干渉することをより確実に回避することができる。また、この場合、第１挿入部材１１及び第２挿入部材１２のいずれか一方に、ねじ１３が通される通し穴を設け、第１挿入部材１１及び第２挿入部材１２のいずれか他方に、ねじ１３が取り付けられるねじ穴を設けることにより、ナットをなくすこともできる。
【００５９】
また、第１ロープ側対向面１１１に対する第１ハウジング側対向面１１２の角度を第１挿入部材１１の長手方向先端部の角度とし、第２ロープ側対向面１２１に対する第２ハウジング側対向面１２２の角度を第２挿入部材１２の長手方向先端部の角度とする。この場合、各ねじ１３が配置される設定範囲を挿入体１５の長手方向後端部側に集中させることにより、第１挿入部材１１及び第２挿入部材１２のそれぞれの長手方向先端部の角度を小さくすることができる。これにより、貫通孔１０４のロープ通し口に向けて第１受け面１０２ａと第２受け面１０３ａとの間に挿入体１５をより深く入り込ませることができ、挿入体１５が貫通孔１０４から抜けにくくすることができる。
【００６０】
さらに、エレベータロープ８に挿入体１５を押し付ける押付力の大きさの分布が挿入体１５の長手方向後端部から長手方向先端部に向けて小さくなるようにすることができる。これにより、挿入体１５が押し付けられているエレベータロープ８の部分と、挿入体１５から出ているエレベータロープ８の部分との境界でエレベータロープ８に力が集中することを緩和することができる。従って、挿入体１５の長手方向先端部においてエレベータロープ８が破断することを抑制することができる。
【００６１】
即ち、挿入体１５の長手方向先端部の位置は、挿入体１５によって把持されているエレベータロープ８の部分と、挿入体１５によって把持されていないエレベータロープ８の部分との境界位置になっている。従って、エレベータロープ８が揺れたり、エレベータロープ８の引かれる角度が変わったりすることで、挿入体１５の長手方向先端部の位置でエレベータロープ８の疲労が進み、エレベータロープ８が破断するおそれがある。本実施の形態では、エレベータロープ８に挿入体１５を押し付ける押付力の大きさの分布が挿入体１５の長手方向先端部に向けて小さくなることから、挿入体１５の長手方向先端部の位置でのエレベータロープ８の疲労を抑制することができる。
【００６２】
なお、実施の形態１及び２では、第１挿入部材１１の通し穴に通されたねじ１３が第２挿入部材１２のねじ穴に取り付けられている。しかし、各第１加圧面１１４から第１ロープ側対向面１１１に達する複数のねじ穴を第１挿入部材１１に設け、各第２加圧面１２４から第２ロープ側対向面１２１に達する複数の通し穴を第２挿入部材１２に設けてもよい。この場合、各ねじ１３は、第２挿入部材１２の通し穴に通された状態で、第１挿入部材１１のねじ穴に取り付けられる。また、この場合、各ねじ１３の頭部は、貫通孔１０４の内面と第２加圧面１２４との間の空間に配置される。各ねじ１３の頭部は、ねじ１３が第１挿入部材１１のねじ穴に締め込まれることにより、エレベータロープ８に挿入体１５を押し付ける押付力を第２加圧面１２４に加える。
【００６３】
また、実施の形態１及び２では、凹部である第１段差部１１３の底面が第１加圧面１１４になっている。しかし、第１挿入部材１１に凹部を設けなくてもよい。例えば、第１ロープ側対向面１１１と平行な平面を第１加圧面として第１挿入部材１１の長手方向後端部に形成してもよい。この場合、第１加圧面は、第１ハウジング側対向面１１２から連続する平面とされる。このようにしても、第１加圧面と第１受け面１０２ａとの間に空間を生じさせることができ、エレベータロープ８に挿入体１５を押し付ける押付力を押付部によって第１加圧面に加えることができる。
【００６４】
また、実施の形態１及び２では、凹部である第２段差部１２３の底面が第２加圧面１２４になっている。しかし、第１挿入部材１１に凹部を設けなくてもよい。例えば、第２ロープ側対向面１２１と平行な平面を第２加圧面として第２挿入部材１２の長手方向後端部に形成してもよい。この場合、第２加圧面は、第２ハウジング側対向面１２２から連続する平面とされる。このようにしても、第２加圧面と第２受け面１０３ａとの間に空間を生じさせることができ、エレベータロープ８に挿入体１５を押し付ける押付力を押付部によって第２加圧面に加えることができる。
【００６５】
実施の形態３．
図１６は、この発明の実施の形態３によるエレベータロープ端末構造体である第１端末構造体９を示す斜視図である。図１７は、図１６の第１端末構造体９を示す正面図である。図１８は、図１７の第１端末構造体９を示す側面図である。図１９は、図１８の第１端末構造体９の内部を示す側面図である。図２０は、図１６の第１端末構造体９の内部を示す斜視図である。図２１は、図１９のＸＸＩ−ＸＸＩ線に沿った断面図である。図２２は、図１９のＸＸＩＩ−ＸＸＩＩ線に沿った断面図である。
【００６６】
ハウジング１０は、単一部材である。即ち、ハウジング１０の一対の平行板１０１、第１受け板１０２及び第２受け板１０３は、一体成型によって分解不可能に形成されている。この例では、ハウジング１０が鋳造成型部材になっている。
【００６７】
第１受け面１０２ａは、貫通孔１０４の挿入体口から貫通孔１０４のロープ通し口に向かってハウジング１０の軸線に近づく方向へ傾斜している。第２受け面１０３ａは、ハウジング１０の軸線に沿って配置されている。これにより、ハウジング１０の形状は、片側へ張り出した非対称形状になっている。
【００６８】
第１挿入部材１１の幅方向両端部には、断面円形の複数のざぐり穴１１５が設けられている。各ざぐり穴１１５は、エレベータロープ８の長手方向へ互いに間隔をあけて配置されている。各ざぐり穴１１５は、第１ハウジング側対向面１１２側から第１ロープ側対向面１１１に向けて窪む凹部である。各ざぐり穴１１５の深さ方向は、第１挿入部材１１の厚さ方向と一致している。
【００６９】
また、第１挿入部材１１には、各ざぐり穴１１５のそれぞれの底面が加圧面１１６として設けられている。これにより、各加圧面１１６の位置は、第１ハウジング側対向面１１２の位置よりも第１ロープ側対向面１１１に近い位置になっている。各加圧面１１６は、第１ロープ側対向面１１１と平行である。各加圧面１１６は、貫通孔１０４の内面から離れている。これにより、各加圧面１１６と貫通孔１０４の内面との間には、ざぐり穴１１５内の空間が生じている。
【００７０】
第２ハウジング側対向面１２２は、第２ロープ側対向面１２１と平行になっている。これにより、第２挿入部材１２の形状は、平板状になっている。この例では、挿入体１５の長手方向のどの位置でも、第２挿入部材１２の厚さが第１挿入部材１１の厚さよりも小さくなっている。第２ロープ側対向面１２１は、エレベータロープ８の第２ロープ面に接触している。第２ハウジング側対向面１２２は、第２受け面１０３ａに接触している。これにより、貫通孔１０４内に挿入されているエレベータロープ８は、第１受け面１０２ａに対して傾斜し、かつ第２受け面１０３ａと平行に配置されている。
【００７１】
第１挿入部材１１には、各加圧面１１６から第１ロープ側対向面１１１に達する複数の通し穴が設けられている。各通し穴の内径は、各ざぐり穴１１５の内径よりも小さくなっている。第２挿入部材１２には、第２ロープ側対向面１２１から第２ハウジング側対向面１２２に達する複数のねじ穴が設けられている。
【００７２】
各ねじ１３は、第１挿入部材１１の通し穴に通された状態で、第２挿入部材１２のねじ穴に取り付けられている。各ねじ１３は、挿入体１５の長手方向へ互いに間隔をあけて配置されている。また、各ねじ１３は、挿入体１５の長手方向の設定範囲内に配置されている。この例では、各ねじ１３が配置される設定範囲が、挿入体１５の長手方向後端部から挿入体１５の中央位置よりも長手方向先端部に近い位置までの範囲になっている。
【００７３】
また、各ねじ１３は、図１９に示すように、エレベータロープ８の厚さ方向に沿って見たときのエレベータロープ８の領域から外れた位置に配置されている。これにより、各ねじ１３は、エレベータロープ８を貫通せずに配置されている。さらに、各ねじ１３は、第２挿入部材１２のねじ穴に締め込まれている。各ねじ１３は、第２挿入部材１２のねじ穴に締め込まれた状態で、エレベータロープ８及び挿入体１５を締め付けている。
【００７４】
各ねじ１３は、エレベータロープ８及び挿入体１５を締め付けることにより、エレベータロープ８に挿入体１５を押し付けている。これにより、各ねじ１３は、エレベータロープ８の厚さ方向に沿って見たときのエレベータロープ８の領域から外れた位置で、挿入体１５に押付力を加えている。また、各ねじ１３は、第１挿入部材１１と第２挿入部材１２とが互いに近づく方向へ押付力を挿入体１５に加えている。エレベータロープ８は、各ねじ１３の締め付けによって挿入体１５に加わる押付力により、第１挿入部材１１と第２挿入部材１２との間に把持されている。
【００７５】
各ねじ１３の頭部は、ざぐり穴１１５内の空間に配置されている。また、各ねじ１３の頭部は、ねじ１３が第２挿入部材１２のねじ穴に締め込まれることにより、エレベータロープ８に挿入体１５を押し付ける押付力を加圧面１１６に加えている。第１端末構造体９の他の構成は、実施の形態１での第１端末構造体９の構成と同様である。また、エレベータロープ端末構造体である第２端末構造体２０の構成は、第１端末構造体９の構成と同様である。他の構成は、実施の形態１と同様である。
【００７６】
このような第１端末構造体９及び第２端末構造体２０では、第２ハウジング側対向面１２２が第２ロープ側対向面１２１と平行になっている。このため、第２挿入部材１２の形状を平板状にすることができる。これにより、第２挿入部材１２の厚さ方向寸法を小さくすることができ、ハウジング１０の小型化を図ることができる。また、ハウジング１０の形状を非対称形状にすることができる。従って、ハウジング１０の張り出しがない方向を選んでハウジング１０を配置することにより、ハウジング１０と他の機器との干渉を回避することができる。
【００７７】
また、第１挿入部材１１には、複数のざぐり穴１１５の底面が加圧面１１６として設けられている。このため、第１挿入部材１１の中で加圧面１１６を確保するスペースを小さくすることができる。これにより、第１ハウジング側対向面１１２の面積を大きくすることができ、挿入体１５が貫通孔１０４から抜けにくくすることができる。
【００７８】
また、複数のざぐり穴１１５は、第１挿入部材１１に設けられている。このため、ざぐり穴１１５の深さを深くすることができる。即ち、第１挿入部材１１の形状が楔状であることから、第１挿入部材１１の少なくとも一部の厚さは第２挿入部材１２の厚さよりも大きくなっている。従って、第１挿入部材１１の厚さの大きい部分にざぐり穴１１５を設けることにより、ざぐり穴１１５の深さを確保することができる。これにより、ざぐり穴１１５内の空間にねじ１３の頭部をより確実に配置することができ、ねじ１３の頭部と貫通孔１０４の内面とが干渉することをより確実に回避することができる。
【００７９】
なお、上記の例では、複数のざぐり穴１１５が第１挿入部材１１に設けられている。しかし、複数のざぐり穴１１５を第２挿入部材１２に設けてもよい。この場合、各ざぐり穴１１５の底面である加圧面１１６は、第２挿入部材１２に設けられる。また、この場合、ねじ１３が通される複数の通し穴が第２挿入部材１２に設けられ、ねじ１３が取り付けられる複数のねじ穴が第１挿入部材１１に設けられる。このようにしても、第２挿入部材１２の通し穴に通されたねじ１３を第１挿入部材１１のねじ穴に締め込むことにより、エレベータロープ８に挿入体１５を押し付けることができる。
【００８０】
実施の形態４．
図２３は、この発明の実施の形態４によるエレベータロープ端末構造体である第１端末構造体９を示す斜視図である。図２４は、図２３の第１端末構造体９を示す正面図である。図２５は、図２４の第１端末構造体９の内部を示す正面図である。図２６は、図２４の第１端末構造体９の内部を示す背面図である。図２７は、図２４の第１端末構造体９を示す側面図である。図２８は、図２７の第１端末構造体９の内部を示す側面図である。図２９は、図２３の第１端末構造体９の内部を示す斜視図である。図３０は、図２８のＸＸＸ−ＸＸＸ線に沿った断面図である。図３１は、図２８のＸＸＸＩ−ＸＸＸＩ線に沿った断面図である。図３２は、図２６のＸＸＸＩＩ−ＸＸＸＩＩ線に沿った断面図である。
【００８１】
挿入体１５の幅方向寸法は、エレベータロープ８の幅方向寸法と同じである。また、第１挿入部材１１及び第２挿入部材１２のそれぞれの幅方向両端面は、図３２に示すように、貫通孔１０４の内面から離れている。これにより、第１挿入部材１１及び第２挿入部材１２のそれぞれの幅方向両端面と貫通孔１０４の内面との間には、空間が生じている。
【００８２】
第１挿入部材１１及び第２挿入部材１２のそれぞれの幅方向両端面と貫通孔１０４の内面との間に生じている空間には、押付部としての複数のクリップ１３０が配置されている。この例では、挿入体１５の幅方向両側にクリップ１３０が２個ずつ配置されている。各クリップ１３０は挿入体１５に設けられている。
【００８３】
各クリップ１３０は、第１挿入部材１１の幅方向端面に固定されたクリップ本体１３１と、第２挿入部材１２の幅方向端面に固定された固定フック１３２とを有している。
【００８４】
クリップ本体１３１は、固定フック１３２に掛かることが可能な可動フックと、第１挿入部材１１に対して可動フックを移動させる操作レバーとを有している。各クリップ１３０は、可動フックが掛かった固定フック１３２をクリップ本体１３１が操作レバーの操作によって引き寄せることにより、エレベータロープ８に挿入体１５を押し付ける。これにより、各クリップ１３０は、エレベータロープ８の厚さ方向に沿って見たときのエレベータロープ８の領域から外れた位置で、挿入体１５に押付力を加えている。また、各クリップ１３０は、第１挿入部材１１と第２挿入部材１２とが互いに近づく方向へ押付力を挿入体１５に加えている。従って、エレベータロープ８は、各クリップ１３０の押付力によって第１挿入部材１１と第２挿入部材１２との間に把持されている。
【００８５】
各クリップ１３０は、可動フックが掛かった固定フック１３２をクリップ本体１３１に引き寄せた状態を維持することにより、エレベータロープ８に挿入体１５を押し付けている状態を維持している。これにより、挿入体１５が貫通孔１０４内に挿入されているか否かにかかわらず、挿入体１５がエレベータロープ８に保持された状態が維持される。第１端末構造体９の他の構成は、実施の形態３での第１端末構造体９の構成と同様である。また、エレベータロープ端末構造体である第２端末構造体２０の構成は、第１端末構造体９の構成と同様である。他の構成は、実施の形態１と同様である。
【００８６】
このような第１端末構造体９及び第２端末構造体２０では、クリップ本体１３１と固定フック１３２とを有する複数のクリップ１３０が押付部として用いられている。このため、固定フック１３２に掛かったクリップ本体１３１が固定フック１３２を引き寄せるだけで、エレベータロープ８に挿入体１５を押し付ける作業を容易に行うことができる。
【００８７】
なお、各クリップ１３０が配置される設定範囲を、挿入体１５の長手方向の中央位置よりも挿入体１５の長手方向後端部側に設定してもよい。このようにすれば、実施の形態２と同様に、挿入体１５の長手方向先端部においてエレベータロープ８が破断することを抑制することができる。また、各クリップ１３０が配置される空間をより確実に確保することもできる。
【００８８】
また、上記の例では、挿入体１５の幅方向寸法がエレベータロープ８の幅方向寸法と同じになっている。しかし、挿入体１５の幅方向寸法をエレベータロープ８の幅方向寸法よりも大きくしてもよい。このようにすれば、挿入体１５の位置がエレベータロープ８の幅方向へずれた場合でも、エレベータロープ８に挿入体１５をより確実に押し付けることができる。
【００８９】
また、上記の例では、クリップ本体１３１が第１挿入部材１１に設けられ、固定フック１３２が第２挿入部材１２に設けられている。しかし、固定フック１３２を第１挿入部材１１に設け、クリップ本体１３１を第２挿入部材１２に設けてもよい。
【００９０】
実施の形態５．
図３３は、この発明の実施の形態５によるエレベータロープ端末構造体である第１端末構造体９を示す斜視図である。図３４は、図３３の第１端末構造体９を別の方向から見たときの状態を示す斜視図である。図３５は、図３３の第１端末構造体９を示す正面図である。図３６は、図３５の左側から見たときの第１端末構造体９を示す側面図である。図３７は、図３６の第１端末構造体９の内部を示す側面図である。図３８は、図３５の右側から見たときの第１端末構造体９を示す側面図である。図３９は、図３８の第１端末構造体９の内部を示す側面図である。図４０は、図３３の第１端末構造体９の内部を示す斜視図である。図４１は、図３４の第１端末構造体９の内部を示す斜視図である。図４２は、図３９のＸＸＸＸＩＩ−ＸＸＸＸＩＩ線に沿った断面図である。図４３は、図３９のＸＸＸＸＩＩＩ−ＸＸＸＸＩＩＩ線に沿った断面図である。
【００９１】
挿入体１５は、第１挿入部材１１と、一対の第２挿入部材１２とを有している。第１挿入部材１１の構成は、実施の形態１と同様である。
【００９２】
一対の第２挿入部材１２は、エレベータロープ８と第２受け面１０３ａとの間にエレベータロープ８の長手方向に沿って配置されている。また、一対の第２挿入部材１２は、エレベータロープ８の幅方向において互いに離して配置されている。これにより、エレベータロープ８の幅方向一端部は、第１挿入部材１１の幅方向一端部と一方の第２挿入部材１２との間に挟まれている。エレベータロープ８の幅方向他端部は、第１挿入部材１１の幅方向他端部と他方の第２挿入部材１２との間に挟まれている。
【００９３】
各第２挿入部材１２には、図４３に示すように、第２ロープ側対向面１２１と第２ハウジング側対向面１２２とが設けられている。第２ハウジング側対向面１２２は、第２挿入部材１２の厚さ方向において第２ロープ側対向面１２１と対向している。第２ハウジング側対向面１２２は、第２ロープ側対向面１２１と平行である。これにより、第２挿入部材１２の形状は、平板状になっている。
【００９４】
各第２挿入部材１２には、第２ロープ側対向面１２１から第２ハウジング側対向面１２２に達する複数のねじ穴が設けられている。各第２挿入部材１２では、複数のねじ穴が第２挿入部材１２の長手方向へ互いに間隔をあけて設けられている。
【００９５】
押付部としての各ねじ１３は、第１挿入部材１１の通し穴に通された状態で、各第２挿入部材１２のねじ穴に取り付けられている。各ねじ１３は、実施の形態１と同様に、各第２挿入部材１２のねじ穴に締め込まれた状態で、エレベータロープ８及び挿入体１５を締め付けている。エレベータロープ８の幅方向両端部は、各ねじ１３の締め付けによって挿入体１５に加わる押付力により、第１挿入部材１１と第２挿入部材１２との間に把持されている。
【００９６】
第２受け面１０３ａは、図４２及び図４３に示すように、エレベータロープ８の幅方向において互いに離れている一対の挿入体接触面部２１と、一対の挿入体接触面部２１の間に位置するロープ接触面部２２とを有している。ロープ接触面部２２及び一対の挿入体接触面部２１のそれぞれは、エレベータロープ８の長手方向に沿って形成されている。また、ロープ接触面部２２は、一対の挿入体接触面部２１の位置よりも第１受け面１０２ａに近い位置に形成されている。
【００９７】
各第２挿入部材１２の第２ロープ側対向面１２１は、エレベータロープ８の幅方向両端部の第２ロープ面に接触している。各第２挿入部材１２の第２ハウジング側対向面１２２は、第２受け面１０３ａの一対の挿入体接触面部２１にそれぞれ接触している。第２受け面１０３ａのロープ接触面部２２は、エレベータロープ８の幅方向中間部の第２ロープ面に接触している。従って、エレベータロープ８の第２ロープ面には、各第２挿入部材１２の第２ロープ側対向面１２１と、第２受け面１０３ａのロープ接触面部２２とが接触している。第１端末構造体９の他の構成は、実施の形態３での第１端末構造体９の構成と同様である。また、エレベータロープ端末構造体である第２端末構造体２０の構成は、第１端末構造体９の構成と同様である。他の構成は、実施の形態１と同様である。
【００９８】
このような第１端末構造体９及び第２端末構造体２０では、第２受け面１０３ａのロープ接触面部２２がエレベータロープ８に接触している。このため、ハウジング１０と各第２挿入部材１２との間の摩擦力だけでなく、ハウジング１０とエレベータロープ８との間の摩擦力も利用して、エレベータロープ８及び挿入体１５を貫通孔１０４内に保持することができる。これにより、互いに異なる材料で構成されたエレベータロープ８及び第２挿入部材１２のそれぞれに対するハウジング１０の摩擦力を調整することができ、エレベータロープ８及び挿入体１５を貫通孔１０４内に保持するために必要な摩擦力の調整を容易にすることができる。
【００９９】
なお、上記の例では、第２受け面１０３ａの一対の挿入体接触面部２１が第２挿入部材１２に接触している。しかし、各第２挿入部材１２はなくてもよい。この場合、第１挿入部材１１のみがエレベータロープ８に複数のねじ１３によって締め付けられる。また、この場合、各ねじ１３の頭部と第１挿入部材１１との間に第１エレベータロープ８の幅方向両端部を挟んだ状態で各ねじ１３が第１挿入部材１１のねじ穴に締め込まれる。これにより、エレベータロープ８に第１挿入部材１１が押し付けられる。このようにしても、ハウジング１０の有無にかかわらずエレベータロープ８に挿入体１５を保持することができ、第１受け面１０２ａとロープ接触面部２２との間にエレベータロープ８及び挿入体１５を保持することができる。
【０１００】
また、上記の例では、ねじ１３が通される複数の通し穴が第１挿入部材１１に設けられ、ねじ１３が取り付けられる複数のねじ穴が各第２挿入部材１２に設けられている。しかし、ねじ１３が通される複数の通し穴を各第２挿入部材１２に設け、ねじ１３が取り付けられる複数のねじ穴を第１挿入部材１１に設けてもよい。このようにしても、第２挿入部材１２の通し穴に通されたねじ１３を第１挿入部材１１のねじ穴に締め込むことにより、エレベータロープ８に挿入体１５を押し付けることができる。
【０１０１】
また、実施の形態１〜３及び５では、エレベータロープ８に挿入体１５を押し付ける押付部がねじ１３になっている。しかし、エレベータロープ８に挿入体１５を押し付ける押付部がねじ及びナットを有していてもよい。この場合、第１挿入部材１１及び第２挿入部材１２のそれぞれに複数の通し穴が設けられる。また、この場合、第１挿入部材１１及び第２挿入部材１２のそれぞれの通し穴に順次通された押付部のねじに、押付部のナットが取り付けられる。第１挿入部材１１、第２挿入部材１２及びエレベータロープ８は、ナットがねじに締め込まれることにより、ねじの頭部とナットとの間で締め付けられる。ねじ及びナットは、第１挿入部材１１、第２挿入部材１２及びエレベータロープ８を締め付けることにより、エレベータロープ８に挿入体１５を押し付ける。このようにしても、エレベータロープ８に挿入体１５を押し付けている状態を簡単な構成で維持することができる。
【０１０２】
押付部がねじ及びナットを有する場合、ねじの頭部と挿入体１５との間と、ナットと挿入体１５との間との少なくともいずれかに弾性部材であるスプリングワッシャを介在させてもよい。このようにすれば、エレベータロープ８及び挿入体１５を締め付けるねじ及びナットを緩みにくくすることができる。これにより、エレベータロープ８に挿入体１５を押し付けている状態をさらに確実に維持することができる。
【０１０３】
また、実施の形態１〜３及び５では、各ねじ１３の頭部が挿入体１５に接触している。しかし、各ねじ１３の頭部と挿入体１５との間に弾性部材であるスプリングワッシャを介在させてもよい。このようにすれば、エレベータロープ８及び挿入体１５を締め付ける各ねじ１３を緩みにくくすることができる。これにより、エレベータロープ８に挿入体１５を押し付けている状態をさらに確実に維持することができる。
【０１０４】
また、実施の形態１〜３及び５では、各ねじ１３がエレベータロープ８の幅方向外側に配置されている。しかし、各ねじ１３がエレベータロープ８を貫通していてもよい。
【０１０５】
また、実施の形態３〜５では、第２挿入部材１２の形状が平板状になっている。しかし、第２挿入部材１２の形状を楔状にしてもよい。即ち、第２挿入部材１２において、第２ハウジング側対向面１２２と第２ロープ側対向面１２１との間の距離が貫通孔１０４のロープ通し口に向かって連続的に小さくなっていてもよい。
【０１０６】
また、各上記実施の形態では、かご３及び釣合おもり４が１：１ローピング方式で吊り下げられている。しかし、かご３に設けられたかご吊り車と、釣合おもり４に設けられた釣合おもり吊り車とにエレベータロープ８を巻き掛け、第１端末構造体９及び第２端末構造体２０のそれぞれを昇降路１の上部に取り付けることにより、かご３及び釣合おもり４を２：１ローピング方式で吊り下げてもよい。
【０１０７】
また、各上記実施の形態では、昇降路の上部に機械室が設けられたエレベータのエレベータロープ端末構造体に第１端末構造体９及び第２端末構造体２０が適用されている。しかし、機械室が設けられていない機械室レスエレベータのエレベータロープ端末構造体に第１端末構造体９及び第２端末構造体２０を適用してもよい。
【符号の説明】
【０１０８】
８  エレベータロープ、９  第１端末構造体（エレベータロープ端末構造体）、１０  ハウジング、１１  第１挿入部材、１２  第２挿入部材、１３  ねじ（押付部）、１５  挿入体、２０  第２端末構造体（エレベータロープ端末構造体）、１０２ａ  第１受け面、１０３ａ  第２受け面、１０４  貫通孔、１１１  第１ロープ側対向面、１１２  第１ハウジング側対向面、１１３  第１段差部（凹部）、１１４  第１加圧面（加圧面）、１１５  ざぐり穴（凹部）、１１６  加圧面、１２１  第２ロープ側対向面、１２２  第２ハウジング側対向面、１２３  第２段差部（凹部）、１２４  第２加圧面（加圧面）、１３０  クリップ（押付部）、１３１  クリップ本体、１３２  固定フック。
【図１】
2020017025.tif 000003
【図２】
2020017025.tif 000004
【図３】
2020017025.tif 000005
【図４】
2020017025.tif 000006
【図５】
2020017025.tif 000007
【図６】
2020017025.tif 000008
【図７】
2020017025.tif 000009
【図８】
2020017025.tif 000010
【図９】
2020017025.tif 000011
【図１０】
2020017025.tif 000012
【図１１】
2020017025.tif 000013
【図１２】
2020017025.tif 000014
【図１３】
2020017025.tif 000015
【図１４】
2020017025.tif 000016
【図１５】
2020017025.tif 000017
【図１６】
2020017025.tif 000018
【図１７】
2020017025.tif 000019
【図１８】
2020017025.tif 000020
【図１９】
2020017025.tif 000021
【図２０】
2020017025.tif 000022
【図２１】
2020017025.tif 000023
【図２２】
2020017025.tif 000024
【図２３】
2020017025.tif 000025
【図２４】
2020017025.tif 000026
【図２５】
2020017025.tif 000027
【図２６】
2020017025.tif 000028
【図２７】
2020017025.tif 000029
【図２８】
2020017025.tif 000030
【図２９】
2020017025.tif 000031
【図３０】
2020017025.tif 000032
【図３１】
2020017025.tif 000033
【図３２】
2020017025.tif 000034
【図３３】
2020017025.tif 000035
【図３４】
2020017025.tif 000036
【図３５】
2020017025.tif 000037
【図３６】
2020017025.tif 000038
【図３７】
2020017025.tif 000039
【図３８】
2020017025.tif 000040
【図３９】
2020017025.tif 000041
【図４０】
2020017025.tif 000042
【図４１】
2020017025.tif 000043
【図４２】
2020017025.tif 000044
【図４３】
2020017025.tif 000045
【手続補正書】
【提出日】平成31年2月5日(2019.2.5)
【手続補正１】
【補正対象書類名】明細書
【補正対象項目名】０００６
【補正方法】変更
【補正の内容】
【０００６】
この発明によるエレベータロープ端末構造体は、扁平形状の断面を持つエレベータロープに接触する挿入体、及び外部からエレベータロープを内部に通すロープ通し口を持つ貫通孔が設けられ、エレベータロープ及び挿入体を貫通孔内に保持するハウジングを備え、貫通孔の内面は、エレベータロープの厚さ方向の両側に位置する第１受け面及び第２受け面を有し、挿入体は、第１受け面及びエレベータロープに接触する第１挿入部材と、第２受け面及びエレベータロープに接触する第２挿入部材とを含むエレベータロープ端末構造体であって、第１挿入部材と第２挿入部材とが互いに近づく方向へ第１挿入部材と第２挿入部材とに押付力を加えることによってエレベータロープに挿入体を押し付けて挿入体とエレベータロープとを一体化する押付部を備える。
また、この発明によるエレベータロープ端末構造体は、扁平形状の断面を持つエレベータロープに接触する挿入体、及び外部からエレベータロープを内部に通すロープ通し口を持つ貫通孔が設けられ、エレベータロープ及び挿入体を貫通孔内に保持するハウジングを備え、貫通孔の内面は、エレベータロープの厚さ方向の両側に位置する受け面を有するエレベータロープ端末構造体であって、受け面と接触する挿入体のハウジング側対向面から窪む面を加圧面としてエレベータロープに挿入体を押し付ける押付部を備える。
さらに、この発明によるエレベータロープ端末構造体は、扁平形状の断面を持つエレベータロープに接触する挿入体、及び外部からエレベータロープを内部に通すロープ通し口を持つ貫通孔が設けられ、エレベータロープ及び挿入体を貫通孔内に保持するハウジングを備え、貫通孔の内面は、エレベータロープの厚さ方向の両側に位置する受け面を有するエレベータロープ端末構造体であって、挿入体の幅方向端面と貫通孔の内面との間に生じる空間に設けられてエレベータロープに挿入体を押し付ける押付部を備える。
【手続補正２】
【補正対象書類名】特許請求の範囲
【補正対象項目名】全文
【補正方法】変更
【補正の内容】
【特許請求の範囲】
【請求項１】
扁平形状の断面を持つエレベータロープに接触する挿入体、及び
外部からエレベータロープを内部に通すロープ通し口を持つ貫通孔が設けられ、前記エレベータロープ及び前記挿入体を前記貫通孔内に保持するハウジング
を備え、
前記貫通孔の内面は、前記エレベータロープの厚さ方向の両側に位置する第１受け面及び第２受け面を有し、
前記挿入体は、前記第１受け面及び前記エレベータロープに接触する第１挿入部材と、前記第２受け面及び前記エレベータロープに接触する第２挿入部材とを含むエレベータロープ端末構造体であって、
前記第１挿入部材と前記第２挿入部材とが互いに近づく方向へ前記第１挿入部材と前記第２挿入部材とに押付力を加えることによって前記エレベータロープに前記挿入体を押し付けて前記挿入体と前記エレベータロープとを一体化する押付部を備えるエレベータロープ端末構造体。
【請求項２】
扁平形状の断面を持つエレベータロープに接触する挿入体、及び
外部から前記エレベータロープを内部に通すロープ通し口を持つ貫通孔が設けられ、前記エレベータロープ及び前記挿入体を前記貫通孔内に保持するハウジング
を備え、
前記貫通孔の内面は、前記エレベータロープの厚さ方向の両側に位置する受け面を有するエレベータロープ端末構造体であって、
前記受け面と接触する前記挿入体のハウジング側対向面から窪む面を加圧面として前記エレベータロープに前記挿入体を押し付ける押付部を備えるエレベータロープ端末構造体。
【請求項３】
扁平形状の断面を持つエレベータロープに接触する挿入体、及び
外部から前記エレベータロープを内部に通すロープ通し口を持つ貫通孔が設けられ、前記エレベータロープ及び前記挿入体を前記貫通孔内に保持するハウジング
を備え、
前記貫通孔の内面は、前記エレベータロープの厚さ方向の両側に位置する受け面を有するエレベータロープ端末構造体であって、
前記挿入体の幅方向端面と前記内面との間に生じる空間に設けられて前記エレベータロープに前記挿入体を押し付ける押付部を備えるエレベータロープ端末構造体。
【請求項４】
前記挿入体は、前記エレベータロープと前記受け面の一方である第１受け面との間に配置された第１挿入部材を有する請求項２又は請求項３に記載のエレベータロープ端末構造体。
【請求項５】
前記貫通孔の内面は、前記受け面の他方である第２受け面を有し、
前記第２受け面は、前記エレベータロープに接触している請求項４に記載のエレベータロープ端末構造体。
【請求項６】
前記挿入体は、前記エレベータロープと前記受け面の他方である第２受け面との間に配置された第２挿入部材を有している請求項４に記載のエレベータロープ端末構造体。
【請求項７】
前記挿入体は、前記エレベータロープと前記受け面の他方である第２受け面との間に配置された第２挿入部材を有している請求項５に記載のエレベータロープ端末構造体。
【請求項８】
前記押付部は、前記第１挿入部材と前記第２挿入部材とが互いに近づく方向へ押付力を前記挿入体に加えることにより、前記エレベータロープに前記挿入体を押し付けている請求項６又は請求項７に記載のエレベータロープ端末構造体。
【請求項９】
前記第１挿入部材には、前記エレベータロープに接触する第１ロープ側対向面と、前記第１受け面に接触する第１ハウジング側対向面とが設けられており、
前記第１ハウジング側対向面と前記第１ロープ側対向面との間の距離は、前記ロープ通し口に向かって小さくなっている請求項４、請求項６及び請求項７のいずれか一項に記載のエレベータロープ端末構造体。
【請求項１０】
前記第１挿入部材には、前記エレベータロープに接触する第１ロープ側対向面と、前記第１受け面に接触する第１ハウジング側対向面とが設けられており、
前記第１ハウジング側対向面と前記第１ロープ側対向面との間の距離は、前記ロープ通し口に向かって小さくなっている請求項１、請求項６、請求項７及び請求項８のいずれか一項に記載のエレベータロープ端末構造体。
【請求項１１】
前記第２挿入部材には、前記エレベータロープに接触する第２ロープ側対向面と、前記第２受け面に接触する第２ハウジング側対向面とが設けられており、
前記第２ハウジング側対向面と前記第２ロープ側対向面との間の距離は、前記ロープ通し口に向かって小さくなっている請求項１０に記載のエレベータロープ端末構造体。
【請求項１２】
前記第２挿入部材には、前記エレベータロープに接触する第２ロープ側対向面と、前記第２受け面に接触する第２ハウジング側対向面とが設けられており、
前記第２ハウジング側対向面は、前記第２ロープ側対向面と平行である請求項１又は請求項１０に記載のエレベータロープ端末構造体。
【請求項１３】
前記挿入体には、前記貫通孔の内面から離れた加圧面が設けられており、
前記押付部は、前記エレベータロープに前記挿入体を押し付ける押付力を前記加圧面に加えている請求項１又は請求項３に記載のエレベータロープ端末構造体。
【請求項１４】
前記挿入体には、凹部が設けられており、
前記加圧面は、前記凹部の底面である請求項２又は請求項１３に記載のエレベータロープ端末構造体。
【請求項１５】
前記凹部は、前記エレベータロープの長手方向に沿って形成されている請求項１４に記載のエレベータロープ端末構造体。
【請求項１６】
前記押付部は、前記エレベータロープの厚さ方向に沿って見たときの前記エレベータロープの領域から外れた位置で前記挿入体に押付力を加えることにより、前記エレベータロープに前記挿入体を押し付けている請求項１から請求項１５のいずれか一項に記載のエレベータロープ端末構造体。
【請求項１７】
前記挿入体の幅方向寸法は、前記エレベータロープの幅方向寸法よりも広くなっている請求項１から請求項１６のいずれか一項に記載のエレベータロープ端末構造体。
【請求項１８】
前記押付部は、ねじを有し、
前記ねじは、前記エレベータロープ及び前記挿入体を締め付けることにより、前記エレベータロープに前記挿入体を押し付けている請求項１から請求項１７のいずれか一項に記載のエレベータロープ端末構造体。
【請求項１９】
前記押付部は、ねじと、前記ねじに取り付けられるナットとを有し、
前記ねじ及び前記ナットは、前記エレベータロープ及び前記挿入体を締め付けることにより、前記エレベータロープに前記挿入体を押し付けている請求項１から請求項１７のいずれか一項に記載のエレベータロープ端末構造体。
【請求項２０】
前記ナットと前記挿入体との間には、弾性部材が介在している請求項１９に記載のエレベータロープ端末構造体。
【請求項２１】
前記ねじの頭部と前記挿入体との間には、弾性部材が介在している請求項１８から請求項２０のいずれか一項に記載のエレベータロープ端末構造体。
【請求項２２】
前記押付部は、前記第１挿入部材及び前記第２挿入部材のいずれか一方に設けられたクリップ本体と、前記第１挿入部材及び前記第２挿入部材のいずれか他方に設けられた固定フックとを有するクリップであり、
前記クリップは、前記固定フックに掛かった前記クリップ本体が前記固定フックを引き寄せることにより、前記エレベータロープに前記挿入体を押し付けている請求項６に記載のエレベータロープ端末構造体。
【国際調査報告】
2020017025.tif 000046
2020017025.tif 000047
2020017025.tif 000048
2020017025.tif 000049